(57)【特許請求の範囲】
【請求項１】
紙袋本体のストレートカットされた一端部に口部が形成され、他端部が予め密封封緘された紙袋において、
前記口部付近の前記紙袋本体表面に貼着され、開封手段を有する当て紙と、
該当て紙の上端に形成された第一の接着手段と、
前記口部付近の前記紙袋本体表面に配設され、第一の接着手段と対向する位置に配設された第二の接着手段
とを具え、
前記当て紙の上記上端は前記口部の一端と同一の高さに設定され、
前記口部の第一回目の封緘は、前記口部を二度折り曲げて形成した折り曲げ部を前記当て紙が包囲するように折り曲げ、これにより前記第一の接着手段を前記紙袋本体側に貼着して行われ、
前記第一回目の封緘によって封緘された口部の開封は、前記開封手段により前記当て紙を裁断して行われ、
前記口部の再封緘は、前記開封手段によって開封された前記口部を、前記第一回目の封緘で前記二度折り曲げた折り曲げ位置で再び折り曲げて前記第二の接着手段を前記紙袋本体側に貼着して行われることを特徴とする再使用可能な紙袋。   
【請求項２】
前記開封手段は開封テープであることを特徴とする請求項１に記載の再使用可能な紙袋。
【請求項３】
前記開封手段は前記当て紙に形成されたミシン目であることを特徴とする請求項１に記載の再使用可能な紙袋。
【請求項４】
第一の接着手段は前記当て紙の表面に形成したことを特徴とする請求項１乃至３のいずれか1項に記載の再使用可能な紙袋。
【請求項５】
前記第一の接着手段は前記当て紙の裏面に形成したことを特徴とする請求項１乃至３のいずれか1項に記載の再使用可能な紙袋。
【請求項６】
前記第一の接着手段及び第二の接着手段は両面テープからなることを特徴とする請求項１乃至５のいずれか１項に記載の再使用可能な紙袋。
【請求項７】
前記第一の接着手段及び第二の接着手段はホットシールからなることを特徴とする請求項１乃至５のいずれか１項に記載の再使用可能な紙袋。
【発明の詳細な説明】
【技術分野】
【０００１】
この発明は、一度使用した後に再度口部を簡単に且つ厳重に封緘できるようにした再使用可能な紙袋に関する。
【背景技術】
【０００２】
従来、お茶、穀物、肥料或いは樹脂ペレット等（以下、「内容物」と称する）を入れる紙袋は、口部となる一端部がストレートカットされ、他端部が予め定法により封緘された紙袋を主たる構成要素としている。
【０００３】
そして、口部を封緘する場合は、予め紙袋の口部となる筒状体の表面に塗布あるいは貼着された接着層に、一度乃至二度折り曲げた口部を貼着して当該口部を封緘するものが一般的であった。
【０００４】
そして、口部を開封する場合は、口部付近の筒状体を鋏等の治具を使用して裁断し、その裁断した部分を改めて口部とするとともに、その口部を再度拡開して内容物を取り出すようにしている。
【０００５】
近年、資源の節約化の観点から製品の繰り返し使用が求められており、この種の紙袋についても例外ではなくなってきている。しかしながら、前述した従来の紙袋の構成では、一度使用した後に紙袋を再度使用する場合は、裁断されて新たに形成された口部を再加工（接着層を新たに形成する等の加工）しなければ再使用（再封緘）することはできない。
【０００６】
すなわち、従来の紙袋では、内容物が充填された後には口部は接着層に強固に接着しているため、この封緘口部を開けるには刃物で切り開くしかなく、もしそのようにして開封すれば、簡単に再封緘することはほとんど困難である。
【０００７】
なお、従来の紙袋の場合、新たに口部となる部分を折り曲げて再封緘すると開封時に筒状体の一部がなくなっているわけだから、その内容積は少なくなっている。  
従って、この種の紙袋を再使用（２度使用）できるようにするには、予め製袋工場で周到な準備、即ち再使用ができるような設計がなされていないと無理なのである。
【０００８】
しかし、従来の紙袋では、本来的に再使用の思想がないためにそのような構成にはなっておらず、そのためほとんどの場合、焼却処分とされていた。
【０００９】
なお、従来、両端部にそれぞれ閉鎖用のフラップが設けられたひだ付き筒状体の一端部を口部とし、他端部を将来の開封口となるように閉鎖して底部閉鎖部としたひだ付き紙袋において、前記底部閉鎖部を開いて内容物を取り出した後の前記ひだ付き紙袋の再使用時にその開封口を閉鎖するため、当該開封口となる前記ひだ付き筒状体の前記他端部に、接着剤を要素とする再封緘手段が予め設けられ、前記再封緘手段を設けた前記ひだ付き筒状体の前記他端部を少なくとも１回以上折り曲げ、この折曲げ部を開封用テープ付きの当て紙で包囲固定して前記底部閉鎖部を形成する際には、前記再封緘手段を構成する前記接着剤が非接着状態とされ、前記ひだ付き紙袋の再使用時には、前記開封口から内容物を充填した後に前記再封緘手段を構成する前記接着剤を接着可能な状態にし、前記開封口端部を折り曲げて前記ひだ付き筒状体の壁面に貼り付けて再封緘することを特徴とする再使用可能なひだ付き紙袋が提案されている（特許文献１の特許請求の範囲の請求項１、図１〜図５参照）。この再使用可能なひだ付き紙袋は、前記ひだ付き筒状体の前記両端部が階段切りで形成され、この両端部の階段面がそれぞれ前記フラップとなる再使用可能なひだ付き紙袋である（特許文献１の特許請求の範囲の請求項７参照）。この再使用可能なひだ付き紙袋のひだ付き筒状体の他端階段面に、具体的には偏平状態の時の階段面においてＶ字状に折り込まれたひだ部で一部が隠れている最内層壁表面（中央寄り側は、折り曲げ線まで）に、再封緘手段として、粘着剤層を塗布しておき、この粘着剤層の粘着面を使用時まで離型紙で覆って非接着状態にしておくようにし、このような離型紙付きの粘着剤層としては、口部側のフラップの接着でも使用した市販の両面接着テープを使用することができ、また、前記離型紙付きの粘着剤層の代りに、再封緘手段としてホットメルト系接着剤を粘着剤層と同様の位置に塗布しておいてもよい（特許文献１の段落「００２６」、図２、図３参照）。このような離型紙付きの粘着剤層又はホットメルト系接着剤が、ひだ付き筒状体の最内層壁表面に配置固定された他端部の階段部は、先端側から巻き込むように少なくとも２度折り曲げて折曲げ部が形成され（特許文献１の段落「００２７」参照）、その後、この折曲げ部は、これを跨ぐようにその全幅に亘る長さの当て紙で包囲され、この当て紙の両端部はそれぞれひだ付き筒状体の各壁面に接着剤で接着され、このようにして紙袋の底部閉鎖部は形成され、この底部閉鎖部を構成している当て紙における両端接着部間の内面には非常に薄い樹脂製の強靭な開封テープがその幅方向に亘って貼り付けられている（特許文献１の段落「００２８」、図２参照）。このように底部閉鎖部は、ひだ付き筒状体の他端部を２回若しくはそれ以上巻き込むように折り曲げて、この折曲げ部を当て紙で包囲固定しただけのものであり、折曲げ部は接着剤などで接着されてはいない。従って、開封テープを端部から引き上げて当て紙に線状の切れ目を入れて広げ、当て紙の内部から折曲げ部を元の状態に折り戻しながら引き出せば、その端部を簡単に開封することができる（特許文献１の段落「００２９」参照）。この再使用可能なひだ付き紙袋の前記再封緘手段は、前記ひだ付き筒状体の前記他端部における閉鎖用フラップの表面に設けられている（特許文献１の請求項５参照）。
【００１０】
なお、従来、主にクラフト紙で形成され、底部側となる端部が閉鎖され且つ口部側となる端部に閉鎖用のフラップが形成された少なくとも１層の紙袋本体と、この紙袋本体における口部側の端部に存在する前記フラップの貼付け面に、封緘時に前記フラップを折り曲げる折曲げ線より前記紙袋本体の長手方向外方側位置に設けられた最終接着用の接着剤層と、この最終接着用の前記接着剤層より前記紙袋本体の長手方向外方側位置に設けられた少なくとも１つの封緘及び開封機能手段とを含み、この封緘及び開封機能手段が、フラップ引き破り用手段と、このフラップ引き破り用手段に隣接し且つ当該手段より前記紙袋本体の長手方向外方側位置に設けられた封緘用の接着剤層とから構成されていることを特徴とする開封と再封緘が可能な紙袋が提案されている（特許文献２の特許請求の範囲の請求項１、図１〜図６参照）。また、この開封と再封緘が可能な紙袋の前記フラップ引き破り用手段が、前記フラップの貼付け面に幅方向に伸長して貼着されたフラップ引き破り用の線材で構成されていること（特許文献２の特許請求の範囲の請求項２参照）、開封と再封緘が可能な紙袋の前記フラップ引き破り用手段が、前記フラップの貼付け面に幅方向に伸長して形成されたほぼ平行な２本の切取り用線で構成されていることが提案されている（特許文献２の特許請求の範囲の請求項３参照）。また、この開封と再封緘が可能な紙袋では、フラップの貼付け面に設ける最終接着用の接着剤層と、封緘及び開封機能手段を構成する封緘用の接着剤層として熱風を当てると再活性する樹脂系のホットメルト接着剤を塗布して用いてもよいことが提案されている（特許文献２の段落「００５１」参照）。また、この開封と再封緘が可能な紙袋では、両端階段切りのひだ付き筒状体を基本構成要素としたが、両端が直線切りのひだ付き筒状体を用い、両端のそれぞれ相反する壁面又は同一の壁面に紙片を、筒状体端部から長手方向外方に飛び出すように接着剤などで貼り付けてフラップとしてもよいことが、提案されている（特許文献２の段落「００５０」参照）。
【００１１】
なお、従来、袋体の開口部に袋体の上端部とフラップ部に亘って袋体の面の巾方向に、上面剥離紙を介して両面接着テープの下半部を予め貼着すると共に該両面接着テープの上半部をフラップ部の上方に突出させ、該上半部の下面剥離紙を除去して下面粘着剤を露出させた両面接着テープとし、該両面接着テープの上半部を折り曲げて前記開口部を封緘し、さらに上面剥離紙を除去して両面接着テープの貼着部を内方に折り込み、両面接着テープが折り込み部の内方になるようにして袋体の腹部の面に貼着するようにしたことを特徴とする滅菌用バッグが提案されている（特許文献３の特許請求の範囲の請求項１、図１〜４参照）。
【先行技術文献】
【特許文献】
【００１２】
【特許文献１】特開２００２−１９３２７２号公報
【特許文献２】特開２００３−２６７３９９号公報
【特許文献３】実願昭５７−２０１５１７号（実開昭５９−１０６３４７号）のマイクロフィルム
【発明の開示】
【発明が解決しようとする課題】
【００１３】
この発明の目的は、上述した事情に鑑み、一度使用した紙袋を、内容積の変化を与えることなく簡単に再使用できるようにした再使用可能な紙袋を提供することにある。
【課題を解決するための手段】
【００１４】
詳述した課題を解決するため、この発明では、紙袋本体のストレートカットされた一端部に口部が形成され、他端部が予め密封封緘された紙袋において、前記口部付近の前記紙袋本体表面に貼着され、開封手段を有する当て紙と、該当て紙の上端に形成された第一の接着手段と、前記口部付近の前記紙袋本体表面に配設され、第一の接着手段と対向する位置に配設された第二の接着手段とを具え、前記当て紙の上記上端は前記口部の一端と同一の高さに設定され、前記口部の第一回目の封緘は、前記口部を二度折り曲げて形成した折り曲げ部を前記当て紙が包囲するように折り曲げ、これにより前記第一の接着手段を前記紙袋本体側に貼着して行われ、前記第一回目の封緘によって封緘された口部の開封は、前記開封手段により前記当て紙を裁断して行われ、前記口部の再封緘は、前記開封手段によって開封された前記口部を、前記第一回目の封緘で前記二度折り曲げた折り曲げ位置で再び折り曲げて前記第二の接着手段を前記紙袋本体側に貼着して行われるようにしている。
【発明の効果】
【００１５】
以上のように、この発明における再使用可能な紙袋によれば、一度使用した紙袋を、内容積の変化を与えることなく簡単に再使用することができ、極めて経済的な紙袋を提供することができる。
【発明を実施するための最良の形態】
【００１６】
以下、この発明に係る再使用可能な紙袋の一実施例を説明する。
【００１７】
図１はこの発明に係る再使用可能な紙袋１（以下、単に「紙袋」と言う）を概念的に示す正面図、図２は図１のＡＡ断面図である。
【００１８】
この紙袋１は、口部２となる一端部３がストレートカットされて開口し、底部４となる他端部５は当て紙等により予め封緘されたひだ付紙袋で、図２に示すように外層の筒状体である紙袋本体６と内層の筒状体７とからなる二層のひだ付紙袋である。
【００１９】
なお、上述した紙袋１を構成する外層の紙袋本体６は、主にクラフト紙等の紙材で構成され、内層の筒状体７は合成樹脂あるいは金属をラミネートした樹脂フィルム等の密封性の良い筒状体で構成されている。
【００２０】
一方、図１及び図２で示すように、前記紙袋１の前記紙袋本体６の表面であって、口部２付近には、当て紙１０がその下端１０ａ側に塗布された接着層１１を介して予め貼着されている。なお、この当て紙１０の上端１０ｂは、紙袋１の口部２とほぼ同一の高さに設定されている。
【００２１】
この当て紙１０には、口部２近傍の位置に当該当て紙をその幅方向に沿って切り裂く開封手段である開封テープ１２が予め設けられており、またこの当て紙上端１０ｂの表面１０ｃには第一の接着手段２０である接着材２１が予め貼着されている。なお、この実施例では上述した第一の接着手段２０である接着材２１は、両面テープにより構成されている。
【００２２】
また、図２で示すように、前記第一の接着手段２０と対向する位置の紙袋本体６の表面には第二の接着手段３０を構成する接着材３１が予め貼着されている。なお、この第二の接着手段３０を構成する接着材３１もこの実施例では両面テープにより構成されている。
【００２３】
次に上述した紙袋１の作用を説明し、併せて構成をより詳細に説明する。
【００２４】
まず、図３で示すように、口部２を左右に拡開し、そこに矢印Ｂで示すように内容物Ｃを充填する。
【００２５】
次に、図４で示すように、口部２を閉塞して、一度折り曲げる。
【００２６】
なお、この折り曲げの際し、予め図３で示す第一の接着手段２０である接着材２１を構成する両面テープの最上面に貼着された剥離紙を予め取り除いておく。
【００２７】
そして、図５に示すように、口部２を二度折り曲げて、第一の接着手段２０である接着材２１を、紙袋１を構成する外層の紙袋本体６の表面側に対向させ、密着させる。
【００２８】
この図５で示すように、紙袋１の口部２を二度折り曲げて、そこに口部２の折り曲げ部２ａを形成し、この折り曲げ部２ａを前記当て紙１０が包囲するように折り曲げることにより、第一の接着手段２０である接着材２１を、紙袋本体６の表面に対向させ、当該接着材２１を紙袋本体６の表面に密着させて貼着すると口部２は厳重に封緘されることとなる。
【００２９】
これにより、紙袋１の第１回目の封緘が完了する。
【００３０】
次に、図５で示す封緘された紙袋１の開封手順を詳述する。
【００３１】
図５で示す当て紙１０に配設された開封テープ１２を、前記当て紙１０の幅方向に沿って引くと、当該開封テープ１２が取り除かれ、これにより図６で示すように当て紙１０が開封テープ１２の部分で裁断される。
【００３２】
これにより、口部２を前記とは逆に折り曲げ戻し、さらに図７で示すように、口部２を再び拡開すると、その中に充填された内容物Ｃを矢印Ｄのように取り出すことができる。
【００３３】
次に、再封緘の手順を説明する。
【００３４】
図７に示す、開封の後、再封緘する場合は、図８で示すように、再び口部２を閉塞し、当該口部２を折り曲げる。なお、口部２の折り曲げ作業を行う際には、予め第二の接着手段３０の接着材３１を構成する両面テープの剥離紙を取り除いておく。
【００３５】
そして、図９に示すように、第二の接着手段３０の接着材３１を紙袋本体６側に対向させて密着させると、当該接着材３１は第一の接着手段２０である接着材２１が表面１０ｃに貼着された当て紙１０の裏面１０ｄに貼着し、口部２は再び厳重に封緘され、再封緘されることとなる。
【００３６】
なお、この図９に示す再封緘の際には、図７で示す開封の際に、紙袋１の口部２の裁断等は一切行っていないので、紙袋１の内容積は全く変わらないこととなる。
【００３７】
次に、この図９で示す再封緘された紙袋１を開封するには、たとえば鋏等の治具を使用して口部２裁断すれば、図１０で示すように、新たな口部２´が形成され、そこから内容物Ｃを取り出すことができることとなる。
【００３８】
なお、上記実施例では、図２で示すように、当て紙１０の表面１０ｃに第一の接着手段２０である接着材２１を予め貼着するようにしたが、この発明は上記実施例に限定されることなく、図２と同一部分を同一符号で示す図１１で示すように、当て紙１０の裏面１０ｄ側に第一の接着手段２０である接着材２１を予め貼着するようにしても良い。
【００３９】
この場合は、第１回目の封緘の際には、図５と同一部分を同一符号で示す図１２で示すように、当て紙１０に配設された第一の接着手段２０である接着材２１を折り曲げ部２ａの下方に位置する紙袋本体６の表面に貼着する。
【００４０】
また、開封テープ１２を使用して、開封した後、再度封緘する際には、図９と同一部分を同一符号で示す図１３で示すように、第二の接着手段３０の接着材３１を紙袋本体６側に対向させ、そのまま紙袋本体の表面に直接密着させて、接着することにより第２回目の封緘が行えることとなる。
【００４１】
なお、上記他の実施例でも、開封手順は前述したのと同様なので、その詳細な説明は省略する。
【００４２】
なお、上記各実施例では、第１および第２の接着材２１，３１を両面テープにより構成したが、この発明は上記実施例に限定されることなく、ホットシール等の接着剤でも良く、また上記実施例では、開封手段を開封テープ１２により構成したがこの発明は上記実施例に限定されることなく、当て紙１０の幅方向に形成したミシン目でもよい。
【００４３】
以上説明したように、この発明の紙袋１では、一度開封して使用した紙袋１を、その内容積の変化を与えることなく簡単に再封緘して再使用することができ、極めて経済的な紙袋を提供することができる。
【産業上の利用可能性】
【００４４】
以上説明したように、この発明の紙袋は、一度使用した紙袋を、内容積の変化を与えることなく簡単に再使用できるようにした再使用可能な紙袋に適している。
【図面の簡単な説明】
【００４５】
【図１】図１はこの発明に係る紙袋の正面図。
【図２】図２は図１のＡＡ断面図。
【図３】図３はこの発明に係る紙袋の作用を示す図。
【図４】図４はこの発明に係る紙袋の作用を示す図。
【図５】図５はこの発明に係る紙袋の作用を示す図。
【図６】図６はこの発明に係る紙袋の作用を示す図。
【図７】図７はこの発明に係る紙袋の作用を示す図。
【図８】図８はこの発明に係る紙袋の作用を示す図。
【図９】図９はこの発明に係る紙袋の作用を示す図。
【図１０】図１０はこの発明に係る紙袋の作用を示す図。
【図１１】図１１は他の実施例を示す図。
【図１２】図１２は他の実施例の作用を示す図。
【図１３】図１３は他の実施例の作用を示す図。
【符号の説明】
【００４６】
１…紙袋
２…口部
２ａ…折り曲げ部
３…一端部
５…他端部
６… 紙袋本体
１０…当て紙
１０ｃ…表面
１０ｄ…裏面
１２…（開封テープ）開封手段
２０…第一の接着手段
３０…第二の接着手段
【図１】
0005326150.tif 000002
【図２】
0005326150.tif 000003
【図３】
0005326150.tif 000004
【図４】
0005326150.tif 000005
【図５】
0005326150.tif 000006
【図６】
0005326150.tif 000007
【図７】
0005326150.tif 000008
【図８】
0005326150.tif 000009
【図９】
0005326150.tif 000010
【図１０】
0005326150.tif 000011
【図１１】
0005326150.tif 000012
【図１２】
0005326150.tif 000013
【図１３】
0005326150.tif 000014